(57)【要約】【課題】導電ケーブルの作業箇所への作業中における、作業箇所とは別の場所の充電部への接触を防止できる導電ケーブル用の絶縁カバーを提供することを課題とする。【解決手段】導電ケーブルＣ１に取り付けた状態で充電状態の作業箇所の絶縁を図るための絶縁カバー１であって、絶縁性を有し且つ前記作業箇所を覆うようにして対向配置される一対のカバー部２と、該一対のカバー部２を前記導電ケーブルＣ１に取り付けるように構成される取付部４と、を備え、前記一対のカバー部２のうちの少なくとも一方は、前記一対のカバー部２が対向する対向方向において外側に張り出した形状であり、前記一対のカバー部２は、対向配置された状態で互いの間に前記作業箇所に対する作業を行うための作業スペースを形成するように構成される導電ケーブル用の絶縁カバー１である。【選択図】図２
2020162217.tif 000002
【特許請求の範囲】
【請求項１】
導電ケーブルに取り付けた状態で充電状態の作業箇所の絶縁を図るための絶縁カバーであって、
絶縁性を有し且つ前記作業箇所を覆うようにして対向配置される一対のカバー部と、
該一対のカバー部を前記導電ケーブルに取り付けるように構成される取付部と、を備え、
前記一対のカバー部のうちの少なくとも一方は、前記一対のカバー部が対向する対向方向において外側に張り出した形状であり、
前記一対のカバー部は、対向配置された状態で互いの間に前記作業箇所に対する作業を行うための作業スペースを形成するように構成される、
導電ケーブル用の絶縁カバー。
【請求項２】
前記一対のカバー部は、透明である、
請求項１に記載の導電ケーブル用の絶縁カバー。
【請求項３】
前記一対のカバー部は、柔軟性を有するシート材で構成されている、
請求項１又は請求項２に記載の導電ケーブル用の絶縁カバー。
【請求項４】
前記一対のカバー部のうちの少なくとも一方は、前記一対のカバー部が対向する対向方向において外側に張り出すように形成された張出部を有し、
該張出部には、前記カバー部の外周縁側から内側に向かうとともに前記対向方向における外側に向かって傾斜するリブが形成される、
請求項１乃至３の何れか１項に記載の導電ケーブル用の絶縁カバー。
【請求項５】
対向配置された前記一対のカバー部の縁部同士を接続可能な接続構造を備える、
請求項１乃至４の何れか１項に記載の導電ケーブル用の絶縁カバー。
【請求項６】
前記一対のカバー部を前記導電ケーブルから分岐している分岐ケーブルに固定する固定部を備える、
請求項１乃至５の何れか１項に記載の導電ケーブル用の絶縁カバー。
【発明の詳細な説明】
【技術分野】
【０００１】
本発明は、導電ケーブルに取り付けた状態で充電部を絶縁する導電ケーブル用の絶縁カバーに関する。
【０００２】
上記導電ケーブル用の絶縁カバーとして、例えば、特許文献１に開示されているような、導電ケーブルとしての電線（本線）に取り付けた状態で、充電部（本線に取り付けられている分岐クランプや、該分岐クランプを介して本線に接続されている分岐線等）を覆うように構成された活線作業用絶縁防護具が知られている。
【０００３】
かかる活線作業用絶縁防護具（以下、絶縁防護具と称する）は、本線に上方から被せる長尺な本体であって、長手方向の全長に亘ってＵ字に湾曲した形状の本体と、柔軟性を有し且つ該本体の一対の下端部（本体を本線に被せた状態で下方側に配置される一対の端部）のそれぞれに対して別々に設けられた一対の遮蔽板と、を備えている。
【０００４】
前記絶縁防護部によれば、本体を本線に対して上方から被せると、一対の遮蔽板によって、分岐クランプと分岐線とが覆われる。これにより、充電部が絶縁される。また、一方の遮蔽板を捲り返せば、絶縁防護具を本線に取り付けた状態のまま作業箇所となる充電部に対する作業（例えば、分岐線を本線から切り離す作業）を行うこともできる。
【先行技術文献】
【特許文献】
【０００５】
【特許文献１】実公昭４９−２４７１７号公報
【発明の概要】
【発明が解決しようとする課題】
【０００６】
ところで、前記絶縁防護部では、充電部に対する作業を行っている間、遮蔽板が捲り返された状態になるため、作業者の手や使用中の工具等が作業箇所とは別の場所の充電部に接触してしまう虞がある。なお、作業者の手や使用中の工具等が作業箇所とは別の充電部に接触してしまう問題は、電線以外の種類の導電ケーブルに対する作業時や、分岐ケーブルが接続されていない電線に対する作業時においても同様に起こり得る。
【０００７】
そこで、本発明は、かかる実情に鑑み、導電ケーブルの作業箇所への作業中における、作業箇所とは別の場所の充電部への接触を防止できる導電ケーブル用の絶縁カバーを提供することを課題とする。
【課題を解決するための手段】
【０００８】
本発明の導電ケーブル用の絶縁カバーは、
導電ケーブルに取り付けた状態で充電状態の作業箇所の絶縁を図るための絶縁カバーであって、
絶縁性を有し且つ前記作業箇所を覆うようにして対向配置される一対のカバー部と、
該一対のカバー部を前記導電ケーブルに取り付けるように構成される取付部と、を備え、
前記一対のカバー部のうちの少なくとも一方は、前記一対のカバー部が対向する対向方向において外側に張り出した形状であり、
前記一対のカバー部は、対向配置された状態で互いの間に前記作業箇所に対する作業を行うための作業スペースを形成するように構成される。
【０００９】
上記構成の導電ケーブル用の絶縁カバーによれば、取付部によって一対のカバー部を導電ケーブルに取り付けた状態で作業箇所の両側に一対のカバー部を対向配置すると、該一対のカバー部によって作業箇所が覆われる。
【００１０】
また、対向配置されている一対のカバー部の間には作業箇所に対する作業を行うための作業スペースが形成されるため、作業者は、一対のカバー部の間から作業スペース内に手を入れた状態で作業箇所に対する作業を行うことができる。
【００１１】
このように、前記導電ケーブル用の絶縁カバーを用いれば、作業者は、作業箇所と手元を一対のカバー部で覆ったまま、作業箇所に対する作業を行うことができる。
【００１２】
本発明の導電ケーブル用の絶縁カバーにおいて、
前記一対のカバー部は、透明であってもよい。
【００１３】
かかる構成によれば、カバー部の外側から作業スペース内の状況を確認し易くすることができる。
【００１４】
また、本発明の導電ケーブル用の絶縁カバーにおいて、
前記一対のカバー部は、柔軟性を有するシート材で構成されていてもよい。
【００１５】
かかる構成によれば、カバー部を作業箇所の状態に合わせて変形させることができるため、カバー部によって作業箇所を覆い易くなる。
【００１６】
また、本発明の導電ケーブル用の絶縁カバーにおいて、
前記一対のカバー部のうちの少なくとも一方は、前記一対のカバー部が対向する対向方向において外側に張り出すように形成された張出部を有し、
該張出部には、前記カバー部の外周縁側から内側に向かうとともに前記対向方向における外側に向かって傾斜するリブが形成されていてもよい。
【００１７】
かかる構成によれば、カバー部の外周縁側から内側に向かうとともに対向方向における外側に向かって傾斜するリブによって、張出部の形状が崩れにくくなる。従って、上記構成の導電ケーブル用の絶縁カバーでは、作業スペースが潰れ難くなる。
【００１８】
本発明の導電ケーブル用の絶縁カバーは、
対向配置された前記一対のカバー部の縁部同士を接続可能な接続構造を備える、ように構成されていてもよい。
【００１９】
かかる構成によれば、対向配置されている一対のカバー部同士を接続構造で接続すれば、作業スペースを閉じた状態を維持できるため、例えば、作業箇所に作業を行わない間に作業スペースを閉じておけば、作業箇所と外部との接触を防ぐことができる。
【００２０】
本発明の導電ケーブル用の絶縁カバーは、
前記一対のカバー部を前記導電ケーブルから分岐している分岐ケーブルに固定する固定部を備える、ように構成されていてもよい。
【００２１】
かかる構成によれば、固定部によって分岐ケーブルを一対のカバー部に固定すると、分岐ケーブルの動きを制限することができ、一対のカバー部が不用意に開いてしまうことを防止できる。
【発明の効果】
【００２２】
以上のように、本発明の導電ケーブル用の絶縁カバーによれば、導電ケーブルの作業箇所への作業中における、作業箇所とは別の場所の充電部への接触を防止できる、という優れた効果を奏し得る。
【図面の簡単な説明】
【００２３】
【図１】図１は、本発明の一実施形態に係る導電ケーブル用を展開した状態で外側から見た図である。
【図２】図２は、同実施形態に係る導電ケーブル用の絶縁カバーを展開した状態で内側から見た図である。
【図３】図３は、図１のＩＩＩ−ＩＩＩ断面図である。
【図４】図４は、同実施形態に係る導電ケーブル用の絶縁カバーを取り付ける導電ケーブルと、絶縁対象となる分岐ケーブルの説明図である。
【図５】図５は、同実施形態に係る導電ケーブル用の絶縁カバーを導電ケーブルに被せた状態の説明図である。
【図６】図６は、同実施形態に係る導電ケーブル用の絶縁カバーの説明図であって、固定部で分岐ケーブルにカバー部を固定した状態の説明図である。
【図７】図７は、同実施形態に係る導電ケーブル用の絶縁カバーの説明図であって、固定部で分岐ケーブルにカバー部を固定した状態を側方から見た図である。
【図８】図８は、同実施形態に係る導電ケーブル用の絶縁カバーの説明図であって、作業スペースを部分的に開放した状態の説明図である。
【図９】図９は、本発明の他の実施形態に係る導電ケーブル用の絶縁カバーの説明図である。
【発明を実施するための形態】
【００２４】
以下、本発明の一実施形態に係る導電ケーブル用の絶縁カバーについて添付図面を参照しつつ説明を行う。
【００２５】
導電ケーブル用の絶縁カバー（以下、絶縁カバーと称する）は、導電ケーブルに取り付けた状態で、充電状態の作業箇所を覆って絶縁を図るものである。導電ケーブルとは、電流が流れるケーブルのことであるが、本実施形態では導電ケーブルが電線であることを前提として以下の説明を行うこととする。
【００２６】
なお、絶縁カバーは、作業の過程で一時的に露出する充電部（すなわち、絶縁カバーを導電ケーブルに取り付ける段階においては露出していない充電部）を覆って絶縁する場合においても、作業中において常時露出している充電部を覆って絶縁する場合においても使用可能である。
【００２７】
絶縁カバーは、図１，２に示すように、絶縁性を有する一対のカバー部２であって、作業箇所を介して対向配置された状態で該作業箇所を覆うように構成される一対のカバー部２と、該一対のカバー部２同士を連結する連結部３と、該一対のカバー部２を導電ケーブルに取り付けるように構成される取付部４と、対向配置された一対のカバー部２同士を接続可能な接続構造５と、取付部４を取り付けた導電ケーブルに接続されている分岐ケーブルを一対のカバー部２に固定する固定部６と、を備えている。
【００２８】
本実施形態では、一対のカバー部２が対向する方向を対向方向、該対向方向に直交する方向を直交方向と称して以下の説明を行うこととする。
【００２９】
一対のカバー部２は、透明である。なお、カバー部２は、外部から作業スペースの状況を視認できるように構成されていれば、無色であっても色付きであってもよい。また、一対のカバー部２は、柔軟性を有するシート材で構成されている。
【００３０】
さらに、一対のカバー部２は、正面視において、三角形状となるように形成されている。そのため、各カバー部２には、一つの長辺２０と、該長辺２０の両端から延出する一対の斜辺２１とが含まれている。一対の斜辺２１の先端は、互いに交わっている。
【００３１】
なお、本実施形態では、一対のカバー部２を対向配置したときに互いに対向する一面を内面２２と称し、該内面２２とは反対側の一面を外面２３と称する。
【００３２】
一対のカバー部２のそれぞれは、対向方向において外側に膨らんだ形状である。そのため、カバー部２の内面２２は対向方向における外側に向かって凹状となっており、カバー部２の外面２３は、対向方向における外側に向かって凸状となっている。
【００３３】
一対のカバー部２の膨らみは、それぞれ同じサイズであってもよいし、一対のカバー部２のうちの一方が他方のサイズよりも大きくなっていてもよい。なお、本実施形態では、一対のカバー部２のうち、作業者側に配置されるカバー部２の膨らみの方が、作業者からみて奥側に配置されるカバー部２の膨らみよりも大きくなっている。
【００３４】
本実施形態に係るカバー部２は、対向方向において外側に向かって張り出すように（山なりに）形成された張出部２４と、該張出部２４から直交方向において外側に広がる対向平坦面２５と、カバー部２の外周縁側から内側に向かって延びるとともに、先端側であるほど前記対向方向における外側に向かうように傾斜するリブ２６と、を有する。
【００３５】
張出部２４は、一対のカバー部２が作業箇所を介して対向配置された状態において、作業箇所と対向方向で隣り合う位置に配置されるように形成されている。そのため、一対のカバー部２を対向配置した際に各カバー部２の張出部２４の膨らみによって内側に形成されるスペースが、作業箇所への作業を行うための作業スペースとなる。
【００３６】
リブ２６は、例えば、カバー部２を構成するシート材に切り込み線を形成し、該切り込み線の両側の縁部同士を熱溶着させることで形成してもよい（図３参照）。
【００３７】
一対のカバー部２のうち、手前側に配置されるカバー部２には、張出部２４に対して３つのリブ２６が形成されている。なお、図１，２においては、手前側に配置されるカバー部２に符号「２Ａ」を付している
【００３８】
一対のカバー部２のうち、奥側に配置されるカバー部２には、張出部２４に対して１つのリブ２６のみが形成されている。なお、図１，２においては、奥側に配置されるカバー部２に符号「２Ｂ」を付している
【００３９】
連結部３は、各カバー部２のそれぞれの長辺２０（より具体的には、長辺の長手方向における中央部）につながっている。また、連結部３は、各カバー部２と一体的に形成されており、各カバー部２と同様に絶縁性と柔軟性とを有している。
【００４０】
接続構造５は、各カバー部２の外周縁部同士を付き合わせた状態で接続するように構成されている。
【００４１】
本実施形態に係る接続構造５は、図２に示すように、カバー部２の内面２２における斜辺２１に沿う縁部に設けられた斜辺側接続部５０と、カバー部２の内面２２における長辺２０に沿う縁部に設けられた長辺側接続部５１と、を有する。
【００４２】
斜辺側接続部５０は、各斜辺２１に対して一つずつ設けられている。長辺側接続部５１は、長辺２０の長手方向における一方側と他方側とに一つずつ設けられている。すなわち、長辺側接続部５１は、連結部３に対応する位置をかわすようにして長辺２０に設けられている。
【００４３】
本実施形態の斜辺側接続部５０と長辺側接続部５１とは、面ファスナーで構成されている。そのため、接続構造５は、一方のカバー部２の斜辺側接続部５０と他方のカバー部２の斜辺側接続部５０とを貼り合わせ、一方のカバー部２の長辺側接続部５１と他方のカバー部２の長側接続部とを貼り合わせることによって、一対のカバー部２を接続できる（一対のカバー部２の間の隙間を閉じることができる）ように構成されている。
【００４４】
斜辺側接続部５０は、斜辺２１が延びる方向と同方向に沿って細長く形成されている。また、斜辺側接続部５０の長手方向における途中位置、より具体的に説明すると、長手方向全長における中央部よりも基端側には、幅方向（斜辺側接続部５０の幅方向）における全長に亘って連続する切込線５００が形成されている。そのため、斜辺側接続部５０は、切込線５００を境として一方側と他方側とが分断されている。
【００４５】
本実施形態では、斜辺側接続部５０の切込線５００を境とする一方側（基端側）を基端側接続部５０１、他方側（基端側）を先端側接続部５０２と称して以下の説明を行うこととする。
【００４６】
上述のように、切込線５００は、斜辺側接続部５０の長手方向全長における中央部よりも基端側に形成されているため、基端側接続部５０１は、先端側接続部５０２よりも短い。
【００４７】
ここで、斜辺側接続部５０の長手方向における一端（以下、基端と称する）は、長辺側接続部５１に隣接する位置に配置され、斜辺側接続部５０の長手方向における他端（以下、先端と称する）は、カバー部２の先端側の角部（斜辺２１が交わることで構成されている角部）の手前の位置に配置されている。
【００４８】
そのため、斜辺側接続部５０の基端を構成する基端側接続部５０１の基端には長辺側接続部５１が隣接し、該基端側接続部５０１の先端には先端側接続部５０２が隣接している。
【００４９】
また、一方の斜辺２１に設けられた先端側接続部５０２の先端部と、他方の斜辺２１に設けられた斜辺側接続部５０の先端側接続部５０２の先端部とは非連続となっており、カバー部２における各斜辺側接続部５０（先端側接続部５０２）の先端の間が、対向配置されるカバー部２に貼り合わされない非張合領域Ｓとなっている。かかる非張合領域Ｓは、分岐ケーブルが配置される領域である。
【００５０】
本実施形態では、一対のカバー部２の間に作業箇所と導電ケーブルを介在させた状態で一方のカバー部２の斜辺側接続部５０と他方のカバー部２の斜辺側接続部５０、一方のカバー部２の長辺側接続部５１と他方のカバー部２の長辺側接続部５１をそれぞれ貼り合わせると、導電ケーブルのうちの作業箇所の両側が各斜辺側接続部５０同士の間、若しくは各長辺側接続部５１同士の間に挟み込まれる。そのため、本実施形態に係る絶縁カバー１では、接続構造５が取付部４の役割も兼ねている。
【００５１】
固定部６は、帯状であり、長手方向における一端がカバー部２の角部に固定されている。また、固定部６の一方の面と他方の面には、互いに張り合わせ可能な貼合部６０が設けられている。本実施形態の固定部６は、一方の面側における基端部側に設けられた基端貼合部６００と、他方の面側における先端部側に設けられた先端貼合部６０１（図１参照）と、を有する。
【００５２】
そのため、固定部６は、分岐ケーブルに巻き付けた後に基端貼合部６００上に先端貼合部６０１を貼り付けることによって分岐ケーブルを固縛でき、これにより、一対のカバー部２を分岐ケーブルに固定するように構成されている。
【００５３】
本実施形態に係る絶縁カバー１の構成は以上の通りである。続いて、本実施形態に係る絶縁カバー１の使い方を説明する。なお、本実施形態では、図４に示すように、導電ケーブルＣ１への分岐ケーブルＣ２の接続箇所（分岐箇所）が作業箇所である場合を一例に挙げて絶縁カバー１の使い方を説明する。なお、本実施形態では、分岐ケーブルＣ２がクランプ付きの分岐ケーブルＣ２であり、分岐ケーブルＣ２がクランプＣ３によって導電ケーブルＣ１に接続されていることを前提として以下の説明を行うこととする。また、クランプ付きの分岐ケーブルＣ２とは、例えば、発電機車から電力を供給するためのものである。
【００５４】
まず、図５に示すように、導電ケーブルＣ１及びクランプＣ３が一対のカバー部２の間に介在するようにして絶縁カバー１の位置を調整する。そして、接続構造５によって対向配置された状態の一対のカバー部２を接続する（貼り合わせる）。本実施形態では、一方のカバー部２の斜辺側接続部５０と他方のカバー部２の斜辺側接続部５０とを貼り合わせ、一方のカバー部２の長辺側接続部５１と他方のカバー部２の長側接続部も貼り合わせる。
【００５５】
このようにすると、導電ケーブルＣ１における分岐ケーブルＣ２の接続箇所の両側（作業箇所となるクランプＣ３の両側）が一方のカバー部２の斜辺側接続部５０と他方のカバー部２の斜辺側接続部５０との間、若しくは一方のカバー部２の長辺側接続部５１と他方のカバー部２の長側接続部の間に挟み込まれる。これにより、一対のカバー部２が導電ケーブルＣ１に取り付けられる。
【００５６】
これに伴い、作業箇所（クランプＣ３）が一対のカバー部２によって覆われ、さらに、カバー部２の張出部２４の間には、作業箇所（クランプＣ３）に対する作業を行うための作業スペースが形成される。なお、接続構造５によって一対のカバー部２を完全に接続している状態においては、作業スペースは閉じられている。
【００５７】
そして、図６，７に示すように、固定部６で分岐ケーブルＣ２に巻き付けた後、一方の面側の貼合部６０を他方の面側の貼合部６０上に重ねると、一対のカバー部２が分岐ケーブルＣ２に固定される。
【００５８】
作業箇所に対する作業、例えば、クランプＣ３の締め直し等を行う場合は、図８に示すように、互いに貼り合わされている斜辺側接続部５０同士を剥がしたり、互いに貼り合わされている長辺側接続部５１同士を剥がすことで、各カバー部２の間を部分的に開く。そして、各カバー部２の間から作業スペース内に手を入れれば、一対のカバー部２によって作業箇所と手元が覆われた状態のまま、作業箇所に対する作業を行うことができる。そのため、作業者の手や工具が作業箇所とは別の充電部に接触してしまうことが防止される。
【００５９】
そして、作業箇所に対する作業を終えた後は、再びカバー部２の間を閉じたり、絶縁カバー１を導電ケーブルＣ１から外したりすればよい。
【００６０】
以上のように、本実施形態に係る絶縁カバー１によれば、一対のカバー部２が対向配置された状態で互いの間に前記作業箇所に対する作業を行うための作業スペースを形成するように構成されているため、取付部４によって一対のカバー部２を導電ケーブルＣ１に取り付けた状態で作業箇所の両側に一対のカバー部２を対向配置すると、該一対のカバー部２によって作業箇所が覆われる。
【００６１】
また、対向配置されている一対のカバー部２の間には作業箇所に対する作業を行うための作業スペースが形成されるため、作業者は、作業スペース内に手を入れた状態で作業箇所に対する作業を行うことができる。
【００６２】
このように、絶縁カバー１を用いれば、作業者は、作業箇所と手元を一対のカバー部２で覆ったまま作業箇所に対する作業を行うことができる。従って、本実施形態に係る絶縁カバー１は、導電ケーブルＣ１の作業箇所への作業中における、作業箇所とは別の場所の充電部への接触を防止できる、という優れた効果を奏し得る。
【００６３】
そして、カバー部２は、透明であるため、カバー部の外側から作業スペース内の状況を確認し易くなっている。
【００６４】
また、本実施形態の絶縁カバー１では、一対のカバー部２が柔軟性を有するシート材で構成されているため、カバー部２を作業箇所の状態に合わせて変形させることが可能となり、これにより、カバー部２で作業箇所を覆い易くなる。
【００６５】
さらに、一対のカバー部２のそれぞれの外周縁部側には、平坦であり且つ対向方向において互いに対向配置される対向平坦面２５が含まれているため、一対のカバー部２の対向平坦面２５の間から作業スペース内に手を入れると、作業者の手元の周囲が各カバー部２の対向平坦面２５によって覆われる。そのため、作業スペース内で作業者の手や工具等がカバー部２に接触しても、作業スペースが大きく開いてしまうことを防ぐことができる。
【００６６】
そして、各カバー部２の張出部２４には、カバー部２の外周縁側から内側に向かうとともに対向方向における外側に向かって傾斜するリブ２６が形成されているため、このリブ２６によって、張出部２４の形状が崩れにくくなる。従って、作業スペースが潰れ難くなる。
【００６７】
また、対向配置されている一対のカバー部２同士を接続構造５によって接続する（すなわち、作業スペースを閉じる）ことが可能であるため、例えば、作業箇所に作業を行わない間に作業スペースを閉じておけば、作業箇所と外部との接触を防ぐことができる。
【００６８】
なお、本実施形態に係る斜辺側接続部５０には、切込線５００が形成されているため、斜辺側接続部５０のうちの切込線５００を境とする一方側（先端側接続部５０２）を相手方の斜辺側接続部５０（先端側接続部５０２）から剥がす際に、斜辺側接続部５０のうちの切込線５００を境とする他方側（基端側接続部５０１）まで相手方の斜辺側接続部５０（基端側接続部５０１）から剥がれてしまうことを防止できる。そのため、各カバー部２の斜辺側接続部５０の間に導電ケーブルＣ１を挟んでいる場合においては、例えば、斜辺側接続部５０が先端から基端にかけて一気に剥がれてしまうことで絶縁カバー１が脱落してしまうことを防止できる。
【００６９】
そして、本実施形態に係る絶縁カバー１は、分岐ケーブルＣ２を一対のカバー部２に固定する固定部６を備えているため、固定部６によって分岐ケーブルＣ２を一対のカバー部２に固定すると、分岐ケーブルＣ２の動きを制限することができ、一対のカバー部２が不用意に開いてしまうことを防止できる。
【００７０】
特に、本実施形態では、固定部６で分岐ケーブルＣ２を固縛する（すなわち、固定部６を分岐ケーブルＣ２に巻き付けたうえで固定する）ため、一対のカバー部２が不用意に開いてしまうことをより確実に防止できる。
【００７１】
さらに、本実施形態では、カバー部２における分岐ケーブルＣ２を配置する領域（非張合領域Ｓ）には接続構造５の斜辺側接続部５０が設けられていないため、カバー部２の角部を分岐ケーブルＣ２の外面に沿わせやすくなっている。従って、カバー部２の角部を分岐ケーブルＣ２の外面に固定し易くなる。
【００７２】
また、本実形態の絶縁カバー１は、一対のカバー部２が取付部４（本実施形態では接続構造５）で導電ケーブルＣ１に取り付けられ、且つ固定部６で分岐ケーブルＣ２にも取り付けられるため、導電ケーブルＣ１と分岐ケーブルＣ２の接続箇所、すなわち、導電ケーブルＣ１の充電部と分岐ケーブルＣ２のクランプＣ３との相対的な動きを規制でき、作業を行い易くすることができる。
【００７３】
なお、本発明の導電ケーブル用の絶縁カバーは、上記実施形態に限定されるものではなく、本発明の要旨を逸脱しない範囲内において種々の変更を加え得ることは勿論である。
【００７４】
上記実施形態において、一対のカバー部２は、連結部３を介してつながっていたが、この構成に限定されない。例えば、一対のカバー部２は、分離していてもよい。この場合、遅れ絶縁カバー１は、例えば、接続構造５のみで一対のカバー部２同士を貼り合わせるように構成されていてもよい。
【００７５】
上記実施形態において、連結部３は、各カバー部２の長辺２０につながっていたが、この構成に限定されない。例えば、連結部３は、各カバー部２の斜辺２１につながっていてもよい。
【００７６】
上記実施形態では、導電ケーブルＣ１と分岐ケーブルの接続箇所を覆って絶縁することを前提として絶縁カバー１の説明を行ったが、例えば、導電ケーブルＣ１に分岐ケーブルが接続されていない場合は、絶縁カバー１で導電ケーブルＣ１のみを覆って該導電ケーブルＣ１の充電部を絶縁することも可能である。また、この場合においては、絶縁カバー１が固定部６を備えていなくてもよい。
【００７７】
上記実施形態において、カバー部２は、三角形状であったが、この構成に限定されない。カバー部２は、例えば、四角形状や半円状等であってもよい。
【００７８】
上記実施形態において、一対のカバー部２は、何れも対向方向において外側に膨らんだ形状であったが、この構成に限定されない。例えば、一対のカバー部２のうちの一方、若しくは他方のみが外側に膨らんだ形状であってもよい。すなわち、絶縁カバー１は、一対のカバー部２のうちの少なくとも一方は、一対のカバー部２が対向する対向方向において外側に膨らんだ形状であればよい。
【００７９】
上記実施形態において、カバー部２には、リブ２６が形成されていたが、この構成に限定されない。例えば、カバー部２には、リブ２６が形成されていなくてもよい。また、手前側に配置されるカバー部２には３本のリブ２６が形成されていたが、かかるカバー部２のリブ２６の数は、１，２本であってもよいし、４本以上であってもよい。さらに、奥側に配置されるカバー部２には１本のリブ２６が形成されていたが、かかるカバー部２のリブ２６の数は、２本以上であってもよい。
【００８０】
上記実施形態において、接続構造５の斜辺側接続部５０、長辺側接続部５１は、面ファスナーで構成されていたが、この構成に限定されない。斜辺側接続部５０、長辺側接続部５１は、一対のカバー部２の間を閉じることができれば、磁石や、ボタン等で構成してもよい。
【００８１】
上記実施形態において、接続構造５は、取付部４の役割を兼ねていたが、例えば、図９に示すように、接続構造５と取付部４とは別体であってもよい。図９に示す取付部４は、帯状のシート材の両面に面ファスナーを設けたものであり、導電ケーブルＣ１に巻き付けた後に、一方の面側の面ファスナーを他方の面側の面ファスナー上に重ねることによって、一対のカバー部２を導電ケーブルＣ１に取り付けることができるようになっている。
【００８２】
すなわち、取付部４は、一対のカバー部２を、該一対のカバー部２の間に通している（配置している）導電ケーブルＣ１に取り付けることができるように構成されていればよい。また、上記実施形態では、接続構造５が取付部４を兼ねていたため、一対のカバー部２を貼り合わせるに伴って一対のカバー部２が導電ケーブルＣ１に取り付けるように構成されていたが、接続構造５は、取付部４で一対のカバー部２を貼り合わせる前、若しくは後で該一対のカバー部２を導電ケーブルＣ１に取り付けるように構成されていてもよい。
【００８３】
上記実施形態では、絶縁カバー１を導電ケーブルＣ１に取り付けた状態において、導電ケーブルＣ１における作業箇所の両側が何れも各カバー部２の斜辺側接続部５０の間に挟み込まれていたが、例えば、導電ケーブルＣ１における作業箇所の一方側、若しくは他方側を各カバー部２の長辺側接続部５１の間に挟み込んでもよい。
【００８４】
また、上記実施形態において、図５乃至図７には、水平方向に延びた姿勢の導電ケーブルＣ１に絶縁カバー１を取り付けていたが、縦向きの姿勢の導電ケーブルＣ１に絶縁カバー１を取り付けてもよい。
【符号の説明】
【００８５】
１…絶縁カバー、２，２Ａ，２Ｂ…カバー部、３…連結部、４…取付部、５…接続構造、６…固定部、２０…長辺、２１…斜辺、２２…内面、２３…外面、２４…張出部、２５…対向平坦面、２６…リブ、５０…斜辺側接続部、５１…長辺側接続部、６０…貼合部、５００…切込線、Ｃ１…導電ケーブル、Ｃ２…分岐ケーブル、Ｃ３…クランプ
【図１】
2020162217.tif 000003
【図２】
2020162217.tif 000004
【図３】
2020162217.tif 000005
【図４】
2020162217.tif 000006
【図５】
2020162217.tif 000007
【図６】
2020162217.tif 000008
【図７】
2020162217.tif 000009
【図８】
2020162217.tif 000010
【図９】
2020162217.tif 000011